(57)【要約】【課題】  貼付しやすく、且つ、貼付した後の視認性も高いインデックスラベルを作成可能なインデックスラベル作成機能を有したテープ印刷装置を提供する。【解決手段】  入力手段から貼付対象70におけるインデックスラベル61を貼付する辺の長さＹｓ情報と、作成するインデックスラベル61の枚数Ｎ情報と、インデックスラベル61の長さＲｓ情報とが入力された場合、制御手段は、算出手段を制御してインデックスラベル61を貼付する辺に貼付可能なインデックスラベル61の枚数Ｙｎを算出させ、１列の目安テープ60が備えるインデックスラベル61の枚数が算出した貼付可能枚数Ｙｎ以内となるように目安テープ60の印刷データを印刷データ作成手段を制御して作成させ、テープ印刷手段を制御して印刷データを印刷テープ31に印刷させ、各インデックスラベル61間にハーフカット手段を制御してハーフカット62を入れさせる。【選択図】      図５
2010064274.tif 000002
【特許請求の範囲】
【請求項１】
印刷層と剥離層とを積層してなる印刷テープに文字等の印刷を行ない、文字等が印刷された印刷層を貼付対象の端辺に貼付して用いるインデックスラベルを作成するインデックスラベル作成機能を備えたテープ印刷装置において、
入力手段と、表示手段と、印刷データを作成する印刷データ作成手段と、印刷データを前記印刷テープに印刷するテープ印刷手段と、前記印刷テープを幅方向にカットするフルカット手段と、前記印刷テープの印刷層のみを幅方向にカットするハーフカット手段と、前記入力手段によって入力された情報に基づいて必要な数値を算出する算出手段と、これらの各手段を制御する制御手段と、を備え、
前記制御手段は、前記入力手段から少なくとも前記インデックスラベルを貼付する貼付対象の辺の長さである長さ情報及び作成するインデックスラベルの枚数情報を含む情報が入力されたとき、前記貼付する辺の長さ以内となる前記インデックスラベルの枚数を前記算出手段に算出させ、算出した情報を基に前記インデックスラベルが複数連結されてなる目安テープの印刷データを前記印刷データ作成手段を制御して作成させ、該印刷データに基づいて印刷処理を実行させると共に、各インデックスラベル間にハーフカット処理を実行させ、前記目安テープの最後をフルカットさせることを特徴とするテープ印刷装置。
【請求項２】
前記入力手段から前記インデックスラベルの長さ情報が入力された場合、
前記制御手段は、前記算出手段を制御して前記インデックスラベルを貼付する辺に貼付可能な枚数を算出させ、前記目安テープが備える前記インデックスラベルの枚数が算出した貼付可能枚数以内となるよう前記印刷データ作成手段を制御して前記目安テープの印刷データを作成させることを特徴とする請求項１に記載のテープ印刷装置。
【請求項３】
前記制御手段は、前記入力手段から前記インデックスラベルのタイトルが入力されたとき、該タイトルを印刷可能なインデックスラベルの長さ及び前記貼付する辺に貼付可能な枚数を算出させ、算出した情報に基づいて前記目安テープの印刷データを作成させることを特徴とする請求項１に記載のテープ印刷装置。
【請求項４】
定型用紙のサイズ情報が記憶された定型サイズ情報記憶手段を備えることを特徴とする請求項１乃至請求項３のいずれかに記載のテープ印刷装置。
【請求項５】
前記制御手段は、前記目安テープが備える各インデックスラベル間には余白を形成してハーフカット処理を行なわせることを特徴とする請求項１乃至請求項４のいずれかに記載のテープ印刷装置。
【請求項６】
前記印刷テープとして前記印刷層の長手方向に予めハーフカットが入れられ、該長手方向のハーフカットにより２つの領域が幅方向に形成された印刷テープがセットされている場合、
前記制御手段は、前記印刷データ作成手段を制御して前記印刷テープの幅方向における一方の領域にタイトルが、他方にタイトルのラベル位置情報が印刷されるよう前記目安テープの印刷データを作成させることを特徴とする請求項１乃至請求項５のいずれかに記載のテープ印刷装置。
【請求項７】
前記目安テープの長さが前記貼付する辺の長さと等しくなるように調整する長さ調整手段を備えることを特徴とする請求項１乃至請求項６のいずれかに記載のテープ印刷装置。
【発明の詳細な説明】
【技術分野】
【０００１】
本発明は、印刷テープに文字や模様等を印刷するテープ印刷装置に関する。
【背景技術】
【０００２】
テープカセット内に印刷層と剥離層を積層してなる印刷テープを収納し、このテープカセットを印刷装置にセットして、印刷層にキーボード等の入力手段から入力された或いは他の機器から出力された文字、記号等を印刷する装置としてテープ印刷装置がある。
【０００３】
このテープ印刷装置は、ファイリング時に項目名（タイトル）を記載するインデックスラベルを作成する装置として使用されることがある。例えば、特開平１０−１８１１４０号公報（特許文献１）におけるテープ印刷装置（印刷装置）では、印刷テープを、中間部分を折り線とする２つの同一サイズの領域に区画し、この２つの領域に文字や模様等を印刷することでインデックスラベルを作成する提案がなされている。
【特許文献１】特開平１０−１８１１４０号公報
【発明の開示】
【発明が解決しようとする課題】
【０００４】
上述したような従来のテープ印刷装置では、インデックスラベルを複数枚連続で作成する場合、一枚一枚を完全に切り離して作成する、又は、剥離層が連結された状態で各インデックスラベルの印刷層にハーフカットを入れて作成するといった方法で作成され、貼付対象となる用紙の情報等は使用されていなかった。
【０００５】
よって、貼付対象に複数のインデックスラベルを貼付する場合、貼付位置の目安となるものがないため、全体の先頭から順に貼付する必要があり、貼付時の利便性に問題があった。又、インデックスラベルの枚数が多く、複数列に及んでしまう場合には、どの位置にどのインデックスラベルを貼付するのがよいか解らず、ファイリングの支障となっていた。
【０００６】
更に、インデックスラベルが重ならないように貼付するためには、既にファイリングしてある用紙等を一旦外した後、各用紙等におけるインデックスラベルの貼付位置と比較しながら新たなインデックスラベルを貼付する必要があり、余分な手間が掛かってしまっていた。又、目分量で貼付するため、貼付した各インデックスラベルの位置関係がバラバラであり、視認性が悪くなって重なったインデックスラベルに記載されたタイトルを読み取ることができないという問題点もあった。
【０００７】
本発明は、このような従来技術の問題点に鑑みてなされたものであり、インデックスラベルの貼付時に目安となるものがあり、貼付しやすく、且つ、貼付した後の視認性も高いインデックスラベルを作成可能なインデックスラベル作成機能を有したテープ印刷装置を提供することを目的としている。
【課題を解決するための手段】
【０００８】
本発明は、印刷層と剥離層とを積層してなる印刷テープに文字等の印刷を行ない、文字等が印刷された印刷層を貼付対象の端辺に貼付して用いるインデックスラベルを作成するインデックスラベル作成機能を備えたテープ印刷装置において、入力手段と、表示手段と、印刷データを作成する印刷データ作成手段と、印刷データを前記印刷テープに印刷するテープ印刷手段と、前記印刷テープを幅方向にカットするフルカット手段と、前記印刷テープの印刷層のみを幅方向にカットするハーフカット手段と、前記入力手段によって入力された情報に基づいて必要な数値を算出する算出手段と、これらの各手段を制御する制御手段と、を備え、前記制御手段は、前記入力手段から少なくとも前記インデックスラベルを貼付する貼付対象の辺の長さである長さ情報及び作成するインデックスラベルの枚数情報を含む情報が入力されたとき、前記貼付する辺の長さ以内となる前記インデックスラベルの枚数を前記算出手段に算出させ、算出した情報を基に前記インデックスラベルが複数連結されてなる目安テープの印刷データを前記印刷データ作成手段を制御して作成させ、該印刷データに基づいて印刷処理を実行させると共に、各インデックスラベル間にハーフカット処理を実行させ、前記目安テープの最後をフルカットさせることを特徴とする。
【０００９】
又、前記入力手段から前記インデックスラベルの長さ情報が入力された場合、前記制御手段は、前記算出手段を制御して前記インデックスラベルを貼付する辺に貼付可能な枚数を算出させ、前記目安テープが備える前記インデックスラベルの枚数が算出した貼付可能枚数以内となるよう前記印刷データ作成手段を制御して前記目安テープの印刷データを作成させる。
【００１０】
更に、前記制御手段は、前記入力手段から前記インデックスラベルのタイトルが入力されたとき、該タイトルを印刷可能なインデックスラベルの長さ及び前記貼付する辺に貼付可能な枚数を算出させ、算出した情報に基づいて前記目安テープの印刷データを作成させることもある。
【００１１】
又、テープ印刷装置は、定型用紙のサイズ情報が記憶された定型サイズ情報記憶手段を備えることを特徴とする。
【００１２】
そして、前記制御手段は、前記目安テープが備える各インデックスラベル間には余白を形成してハーフカット処理を行なわせることもある。
【００１３】
又、前記印刷テープとして前記印刷層の長手方向に予めハーフカットが入れられ、該長手方向のハーフカットにより２つの領域が幅方向に形成された印刷テープがセットされている場合、前記制御手段は、前記印刷データ作成手段を制御して前記印刷テープの幅方向における一方の領域にタイトルが、他方にタイトルのラベル位置情報が印刷されるよう前記目安テープの印刷データを作成させることを特徴とする。
【００１４】
更に、テープ印刷装置は、前記目安テープの長さが前記貼付する辺の長さと等しくなるように調整する長さ調整手段を備えることもある。
【発明の効果】
【００１５】
本発明によれば、インデックスラベルの貼付時に目安となるものがあり、貼付しやすく、且つ、貼付した後の視認性も高いインデックスラベルを作成可能なインデックスラベル作成機能を有したテープ印刷装置を提供することができる。
【発明を実施するための最良の形態】
【００１６】
本発明を実施するための最良の形態は、印刷層と剥離層とを積層してなる印刷テープ31に文字等の印刷を行ない、文字等が印刷された印刷層を貼付対象70の端辺に貼付して用いるインデックスラベル61を作成するインデックスラベル作成機能を備えたテープ印刷装置1において、入力手段とされる入力部3と、表示手段とされる表示部4と、印刷データを作成する印刷データ作成手段と、定型用紙のサイズ情報が記憶された定型サイズ情報記憶手段と、印刷データ作成手段が作成した印刷データを印刷テープ31に印刷するテープ印刷手段としてのサーマルヘッド11と、印刷テープ31の印刷層及び剥離層を幅方向にカットするフルカット手段としてのフルカット装置17と、印刷テープ31の印刷層のみを幅方向にカットするハーフカット手段としてのハーフカット装置18と、入力手段によって入力された情報に基づいて必要な数値を算出する算出手段と、これらの各手段を制御する制御手段としての制御部40と、を備える。
【００１７】
又、この制御手段は、入力手段から少なくとも貼付対象70におけるインデックスラベル61を貼付する辺の長さＹｓ情報及び作成するインデックスラベル61の枚数Ｎ情報を含む情報が入力されたとき、貼付対象70におけるインデックスラベル61を貼付する辺の長さＹｓ以内となるインデックスラベル61の枚数である貼付可能枚数Ｙｎを算出手段に算出させ、算出した情報を基にインデックスラベル61が複数連結されてなる目安テープ60の印刷データを印刷データ作成手段を制御して作成させ、該印刷データに基づいて印刷処理を実行させると共に、各インデックスラベル61間にハーフカット処理を実行させ、目安テープ60の最後をフルカットさせる。
【００１８】
又、入力手段からインデックスラベル61の長さＲｓ情報が入力された場合、制御手段は、算出手段を制御して貼付対象70における貼付する辺に貼付可能なインデックスラベル61の枚数Ｙｎを算出させ、目安テープ60が備えるインデックスラベル61の枚数が算出した貼付可能枚数Ｙｎ以内となるように目安テープ60の印刷データを印刷データ作成手段を制御して作成させる。
【実施例】
【００１９】
以下、本発明の実施例を図に基づいて詳説する。図１は本発明の実施例に係るテープ印刷装置の外観を示す斜視図であり、図２はこのテープ印刷装置に使用するテープカセットの外観及びテープ印刷装置の内部構造の一部を示す斜視図である。テープ印刷装置1は、表面を印刷面とし裏面が粘着面とされた印刷層と剥離層とが積層されて形成された印刷テープ31に文字や模様等を印刷するものであり、印刷テープ31の印刷された部分を切断し、貼付対象の端辺に外方に突出するように貼付して用いるインデックスラベルを作成するインデックスラベル作成機能を有する。
【００２０】
そして、このテープ印刷装置1は、図１に示したように、方形状の上面と、この上面から前方に傾斜する傾斜面と、両側面及び下面並びに背面とから形成された中空の筐体2を有し、筐体2の傾斜面には入力部3が形成され、上面には表示部4並びに開閉蓋5が形成され、所定の一側面には印刷テープ31が繰り出すテープ繰出部7が形成されている。尚、図示しないが、筐体2には、外部機器と接続するための入力端子や電源コードが接続される電源端子、メモリーカード挿入口等も形成されている。
【００２１】
又、入力部3は、文字データを入力する文字入力キー、印刷開始を指示する印刷キー、表示部4の表示画面上のカーソルを移動操作するカーソルキー、通常のテープ印刷モード或いはインデックスラベル作成モード等の印刷モードの設定や各種設定処理を行なう種々の制御キーによって構成され、表示部4は、液晶表示装置であって、入力されたデータや各種設定のための選択メニュー画面や処理に関するメッセージ等が表示されると共に、作成されるラベルの長さや印刷モードの状態等の各種の情報を表示する。
【００２２】
更に、開閉蓋5の内側には、図２に示したように、印刷テープ31及びインクリボン35を収容したテープカセット21を装填するためのカセット装填部8が形成されている。又、カセット装填部8内には、印刷素子が縦方向に配列され、長尺の被印刷媒体である印刷テープ31に印刷を行なう印刷ヘッドであるサーマルヘッド11と、サーマルヘッド11との間で印刷テープ31及びインクリボン35を挟んでこれを搬送するプラテンローラ12と、印刷に使用したインクリボン35をテープカセット21内に巻取るリボン巻取軸13とを備えるテープ印刷機構45が形成され、更に、テープカセット21を所定の位置に支持するためのカセット受部15を備えている。
【００２３】
又、カセット装填部8の一端部に筐体2の外に通じる上述したテープ繰出部7が形成されており、このテープ繰出部7には、印刷テープ31の印刷層及び剥離層を幅方向にカットするフルカット手段としてのフルカット装置17と、印刷テープ31の印刷層のみを幅方向にカットするハーフカット手段としてのハーフカット装置18が組み込まれている。
【００２４】
更に、テープカセット21は、カセットケース22を備え、このカセットケース22の内部には、印刷テープ31が巻装されたテープコア23、未使用のインクリボン35が巻装されたリボン供給コア24、使用済みのインクリボン35を巻取るリボン巻取コア25が夫々収納されている。又、テープカセット21のカセットケース22には、カセット装填部8内にテープカセット21を装填した場合にサーマルヘッド11が位置するヘッド配置部27が形成されている。
【００２５】
又、カセットケース22の隅部には、カセット装填部8のカセット受部15と係合し、このカセット受部15によって支持される被係合部29が形成されている。又、このカセットケース22の被係合部29には、図示しないがテープカセット21の種類に応じた所定の凹凸が形成され、カセット装填部8のカセット受部15にはテープカセット21が装填された場合にカセットケース22の被係合部29に形成された凹凸を判別する所定の可動突起16が形成され、カセットケース22をカセット装填部8に装填すると、カセットケース22の被係合部29に形成された凹凸とカセット装填部8のカセット受部15に形成された可動突起16が係合してテープカセット21の種類を判別可能とされる。尚、印刷テープ31は、幅が太いもの、剥離層の長さ方向に予め切れ目が入れられた背割れタイプのもの、印刷層の長手方向に予めハーフカットが入れられたもの等の様々な種類があり、テープカセット21を交換することで様々な印刷テープ31を使用できる。
【００２６】
そして、テープ印刷装置1は、入力部3で入力された印刷データや外部機器から出力された印刷データに対して印刷が指示されると、印刷テープ31とインクリボン35とがテープカセット21から引き出され、重ね合わせた状態でプラテンローラ12とサーマルヘッド11の間に挟まれて共に搬送されると共に、サーマルヘッド11が印刷データに基づいて発熱駆動され、インクリボン35のインクが印刷テープ31に熱転写されて印刷テープ31に印刷が行なわれ、印刷が終了すると、フルカット装置17が作動して印刷テープ31が切断され、１枚のインデックスラベルが作成される。
【００２７】
図３はこのテープ印刷装置1の電子回路の構成を示すブロック図である。図３に示すように、このテープ印刷装置1は、制御手段とされる制御部40と、テープ印刷機構45と、フルカット装置17と、ハーフカット装置18と、を備える。
【００２８】
この制御部40は、ＣＰＵ41と、ＣＰＵ41に接続された上述の入力部3や表示部4、各種のシステムプログラムやフォント等が記憶されたＲＯＭ42、ワークメモリとされるＲＡＭ43、外部機器と接続される入出力インターフェース44を備える。そして、ＣＰＵ41は、入力部3からのキー操作信号に応じてＲＯＭ42に予め記憶されているシステムプログラム、メモリカードに記憶された制御プログラム、入出力インターフェース44に接続された外部機器から読み込まれた制御プログラム等を起動させ、ＲＡＭ43をワークメモリとして回路各部の動作を制御する、或いは、各種の演算処理を行なう。
【００２９】
又、ＲＯＭ42には、入力部3から入力された文字を印刷するためのプログラム、印刷フォント等が記憶されている。
【００３０】
更に、ＲＡＭ43には、キー入力された文字や選択された模様、サイズや文字間隔等の印刷情報を記憶する入力データメモリ、入力された印刷情報が展開された印刷パターンデータが記憶される印刷データメモリ、表示部4に表示されるパターンデータが記憶される表示データメモリ、インデックスラベルの貼付対象として定型用紙のサイズ情報等が記憶される定型用紙サイズ情報データメモリ等の各領域が確保され、印刷処理等に必要なデータを一時的に記憶するレジスタやカウンタ等が設けられている。
【００３１】
又、テープ印刷機構45は、テープ印刷手段とされるサーマルヘッド11と、搬送手段とされるプラテンローラ12及びプラテンローラ12を駆動させるステッピングモータ46とを備える。そして、テープ印刷機構45は、ステッピングモータ46が制御部40に制御されてプラテンローラ12を駆動させ、プラテンローラ12とサーマルヘッド11の間に位置する上述した印刷テープ31を搬送し、制御部40から出力された印刷データに基づいてサーマルヘッド11が印刷テープ31に文字や模様等を熱転写することによって印刷テープ31に随時文字や模様等を印刷する。
【００３２】
更に、フルカット装置17は、固定刃17aと、可動刃17bと、可動刃17bを駆動させるステッピングモータ48と、印刷テープ31の長さ方向の位置を検知する位置センサ49とを備える。そして、このフルカット装置17は、制御部40によって制御されるものであり、位置センサ49で印刷テープ31の位置を検知し、この検知した位置の情報である位置情報を制御部40に出力し、位置センサ49から位置情報を受信した制御部40がステッピングモータ48に駆動信号を出力して可動刃17bを駆動させ、固定刃17aと可動刃17bとの間で鋏の要領で印刷テープ31を幅方向にフルカットする。
【００３３】
又、ハーフカット装置18は、固定刃18aと、可動刃18bと、可動刃18bを駆動させるＤＣモータ50と、を備える。そして、ハーフカット装置18は、ＤＣモータ50が制御部40に制御されて可動刃18bを駆動させ、固定刃18aに可動刃18bを押し付けることにより印刷テープ31の印刷層のみをカットする。
【００３４】
そして、本実施例のテープ印刷装置1のインデックスラベル作成機能では、１つのファイル内で複数の項目分けをする場合等に用いる複数のインデックスラベルを連続で作成する場合に、インデックスラベルを貼付する辺の長さに対応した長さであって、複数のインデックスラベルが連結されて形成される目安テープを作成することにより、貼付位置の目安を備えた複数のインデックスラベルを作成することができることを特徴とする。
【００３５】
このような目安テープを作成するためにテープ印刷装置1は、入力手段としての入力部3と、表示手段としての表示部4と、印刷データ作成手段と、テープ印刷手段としてのサーマルヘッド11と、搬送手段としてのプラテンローラ12及びステッピングモータ46と、定型サイズ情報記憶手段と、フルカット手段としてのフルカット装置17と、ハーフカット手段としてのハーフカット装置18と、算出手段と、制御手段としての制御部40と、を備えるものである。
【００３６】
この印刷データ作成手段は、入力手段によって入力された情報及び算出手段で算出された情報に基づいてインデックスラベルの印刷データを作成する手段である。又、定型サイズ情報記憶手段は、定型用紙の縦の長さや横の長さを記憶している手段であり、貼付対象が定型用紙のサイズであった場合、この定型サイズ情報記憶手段から情報を読み出すことができる。更に、算出手段は、入力手段によって入力された情報を基に必要とされる数値を算出する手段であり、本実施例においては、インデックスラベルの長さ情報や貼付対象におけるインデックスラベルを貼付する辺の長さ情報、作成するインデックスラベルの枚数情報に基づいて、インデックスラベルを貼付する辺の長さに貼付可能なインデックスラベルの枚数、つまり、１列の目安テープに納るインデックスラベルの枚数を算出する。
【００３７】
次に、連続したインデックスラベル61を作成するための制御動作について図４に示すフローチャートを用いて述べる。この制御では、図５に示すように、貼付対象70における貼付する辺の長さに合わせて所要枚数のインデックスラベル61が連続した状態の目安テープ60を作成させるものであって、インデックスラベル61の長さをＲｓ、作成する枚数をＮ、貼付対象70におけるインデックスラベル61を貼付する辺の長さをＹｓ、Ｙｓの中に貼付可能なインデックスラベルの枚数をＹｎとし、目安テープ60の長さはＲｓ×Ｙｎで表される。
【００３８】
このインデックスラベル作成モードの場合、制御手段は、図６に示すようなインデックスラベル61の長さＲｓを指定させる画面を表示手段に表示させ、ユーザにＲｓの数値を指定させる長さ指定処理を実行し（ステップＳ１０１）、ユーザが入力手段を操作することで長さＲｓが指定されると、作成するインデックスラベル61の枚数Ｎを指定させる画面を表示手段に表示させ、ユーザに枚数Ｎを指定させる作成枚数指定処理を実行し（ステップＳ１０３）、ユーザが入力手段を操作することで枚数Ｎが指定されると、各インデックスラベル61に印刷するタイトルを編集させる画面を表示手段に表示させ、ユーザにタイトルを編集させるタイトル編集処理を実行する（ステップＳ１０５）。
【００３９】
タイトル編集処理（ステップＳ１０５）においてユーザによるタイトル編集が終了すると、制御手段は、印刷を実行するか否かユーザに確認する印刷実行確認処理を実行し（ステップＳ１０７）、印刷実行が選択された場合、図７に示すような貼付対象70におけるインデックスラベル61を貼付する辺の長さＹｓを指定する画面を表示手段に表示させ、ユーザにインデックスラベル61を取付ける辺の長さＹｓを指定させる用紙サイズ指定処理を実行する（ステップＳ１０９）。尚、印刷実行確認処理（ステップＳ１０７）において、印刷を実行しない場合には、インデックスラベル作成モードを終了する（ステップＳ１４１）。
【００４０】
この用紙サイズ指定処理（ステップＳ１０９）において、表示手段とされる表示部4には、図７（ａ）に示したように、まず貼付対象70が定型用紙であるか任意（フリー）のサイズであるか選択させる画面が表示され、ユーザが「フリー」を選択すると、図７（ｂ）に示したようなインデックスラベル61を貼付する辺の長さＹｓを指定する画面が表示され、ユーザが方向キーや数字のキー等で数値を選択する。又、ユーザが「定型用紙」を選択すると、図７（ｃ）に示したような、定型用紙の種類を選択する画面が表示され、ユーザが方向キー等で任意の用紙を選択すると、制御手段は、定型サイズ情報記憶手段から選択された定型用紙におけるインデックスラベル61を貼付する辺の長さＹｓを読み出し、以下の処理において使用する。
【００４１】
そして、用紙サイズ指定処理（ステップＳ１０９）において用紙が指定された後、制御手段は、算出手段を制御してユーザが指定した貼付対象70のインデックスラベル61を取付ける辺の長さＹｓをインデックスラベルの長さＲｓで除算し、整数部分を貼付可能枚数Ｙｎとして算出する貼付可能枚数算出処理を実行し（ステップＳ１１１）、この貼付可能枚数Ｙｎが１以上であるかを判定する印刷可不可判定処理を実行する（ステップＳ１１３）。
【００４２】
この印刷可不可判定処理（ステップＳ１１３）において、貼付可能枚数Ｙｎが１未満である場合、制御手段は、表示手段にエラーメッセージを表示するエラーメッセージ表示処理を実行し（ステップＳ１１９）、インデックスラベル作成モードを終了する（ステップＳ１４１）。
【００４３】
印刷可不可判定処理（ステップＳ１１３）において、貼付可能枚数Ｙｎが１以上の場合、制御手段は、印刷データ作成手段を制御して印刷データを作成させた後、ｎ（枚目）＝１をセットし（ステップＳ１１５）、印刷手段を制御してｎ枚目の印刷をさせる印刷実行処理を実行する（ステップＳ１１７）。そして、ｎ枚目の印刷が終了すると、作成する総枚数であるＮ枚印刷したか判定する印刷完了判定処理を実行し（ステップＳ１２１）、ｎ＝ＮつまりＮ枚の印刷が完了した場合にはフルカット手段を制御して印刷テープ31を幅方向に完全に切り落とすフルカット処理を実行し（ステップＳ１２３）、インデックスラベル作成モードを終了する（ステップＳ１４１）。
【００４４】
又、印刷完了判定処理（ステップＳ１２１）において、Ｎ枚の印刷が完了していない場合、制御手段は、ｎ（枚目）が貼付可能枚数Ｙｎの整数倍であるか否かを判定する列完成確認処理を実行し（ステップＳ１２５）、ｎがＹｎの整数倍でない場合にはハーフカット手段を制御してハーフカットさせるハーフカット処理を実行し（ステップＳ１２７）、ｎに１を加え（ステップＳ１２９）、再びｎ枚目（ｎ＋１）の印刷実行処理を実行する（ステップＳ１１７）。
【００４５】
更に、列完成確認処理（ステップＳ１２５）においてｎがＹｎの整数倍であった場合、フルカット手段を制御して切り落し処理を実行し（ステップＳ１３１）、ｎに１を加える処理を実行する（ステップＳ１２９）。つまり、作成する総枚数Ｎが貼付可能枚数Ｙｎよりも多い場合、１列にＮ枚が収まらないため、Ｙｎの整数倍のインデックスラベル61が印刷完了すると、１列の目安テープ60が完成したものとしてフルカットし、残りのインデックスラベル61は次の目安テープ60に印刷する。そして、ｎ＝Ｎと成るまでｎ枚目の印刷実行処理（ステップＳ１１７）からｎに１を加える処理（ステップＳ１２９）を繰り返す。
【００４６】
以上の制御により、ユーザが一月度売上から十二月度売上までの計１２枚のインデックスラベル61を作成する場合、図５に示したように、まずインデックスラベル61の長さＲｓとして貼付対象70の貼付する辺の長さＹｓに６枚のインデックスラベル61が納る数値を指定し、総枚数Ｎとして１２枚を指定し、「一月度売上」から「十二月度売上」までをタイトルとして入力する。
【００４７】
そして、印刷実行確認処理（ステップＳ１０７）において印刷実行を選択し、用紙サイズとして定型用紙或いは任意のＹｓを入力する。Ｙｓが入力されると、貼付可能枚数Ｙｎが６枚と算出され、１列の目安テープ60に６枚のインデックスラベルを備えた印刷データが作成される。
【００４８】
インデックスラベル61の印刷においては、一月度売上から六月度売上までのインデックスラベル61が連続して印刷され、各インデックスラベル61の間にはハーフカット62が入れられ、六月度売上のインデックスラベル61の後でフルカットされて１列目の目安テープ60の作成が完了する。その後、２列目の目安テープ60として七月度売上から十二月度売上までのインデックスラベル61が印刷され、十二月度売上のインデックスラベル61が印刷された後フルカットされてインデックスラベル61の作成が終了する。
【００４９】
以上のように作成された目安テープ60は、図５に示したように、長さＲｓ×Ｙｎが貼付対象70の貼付する辺の長さＹｓと近似しているため、インデックスラベル61を貼付対象70に貼付する場合、目安テープ60を貼付対象70に添えることで目安テープ60におけるインデックスラベル61の位置が貼付対象70における貼付位置と分かり、これによって、途中のインデックスラベル61である三月度売上のインデックスラベル61を貼付対象70に貼付ける場合でも、目安テープ60と貼付対象70の位置関係を比較しながら貼付することができる。
【００５０】
本実施例におけるテープ印刷装置1によれば、入力手段から入力された貼付対象70の貼付する辺の長さＹｓ情報を基に、複数のインデックスラベル61からなる目安テープ60を作成することができる。従って、目安テープ60を貼付対象70に添えるだけで所定のインデックスラベル61を貼付する位置が解るため、容易にインデックスラベル61を貼付できると共に、インデックスラベル61の視認性も良くなる。
【００５１】
又、貼付対象70の貼付する辺の長さＹｓとインデックスラベル61の長さＲｓから貼付可能枚数Ｙｎを算出し、目安テープ60を作成することにより、用紙の辺に対してインデックスラベル61の枚数が多く、複数列に渡ってしまう場合であっても、各列の目安テープ60を基準にインデックスラベル61を貼付することができる。従って、従来のように最初のインデックスラベル61から順に貼付する必要が無くなる。
【００５２】
更に、定型サイズ情報記憶手段を備えることにより、ファイル等で使用される用紙は殆どが定型サイズであるため、用紙のサイズを定規等で測ることなく定型用紙の型番を入力するだけで容易に貼付対象70の貼付する辺の長さＹｓを入力することができる。
【００５３】
尚、印刷テープ31として、図８に示すように、印刷層の長手方向に予めハーフカット62が入れられ、主印刷領域64とタック領域65に印刷層が区画されている印刷テープ31がセットされる場合、制御手段は、主印刷領域64にタイトルを、タック領域65に「一枚目」「二枚目」といった隣接する主印刷領域64のインデックスラベル61に係るラベル位置情報を印刷する構成とすることもできる。このように、隣接するインデックスラベル61のラベル位置情報をタック領域65に印刷することにより、貼付対象70にインデックスラベル61を貼付する場合に、貼付するインデックスラベル61が全体の何番目であるかといった情報が明確となるため、目安テープ60の中に多数のインデックスラベル61がある場合でも間違えることなく容易に、且つ、視認性を高く貼付できるものである。
【００５４】
又、上述した実施例では、インデックスラベル61の長さＲｓをユーザが指定しているが、ユーザが入力したタイトルの文字や模様の量に合わせて自動的にインデックスラベル61の長さ及び貼付可能枚数Ｙｎを算出する構成とすることもできる。更に、各インデックスラベル61をすべて同じ長さとする場合に限らず、印刷されるタイトルの文字や模様の量に合わせて異なる長さＲｓに設定する構成とすることもできる。このように、自動的にインデックスラベル61の長さＲｓや貼付可能枚数Ｙｎを算出する構成とすることにより、ユーザがインデックスラベル61の長さＲｓを指定せずにインデックスラベル61を作成できるため、インデックスラベル61の作成が容易となる。
【００５５】
更に、テープ印刷装置1が目安テープ60の長さを貼付する辺の長さＹｎに調整する長さ調整手段を備えることもある。この長さ調整手段は、Ｒｓ×Ｙｎ＝Ｙｓとなるようにインデックスラベル61の長さＲｓを調整することによって目安テープ60の長さと貼付する辺の長さＹｎを等しくする、又は、目安テープ60の長さ方向における上端及び／又は下端に目安テープ60の長さと貼付する辺の長さＹｎが等しくなるようヘッダーやフッターのような調整領域を作成することによって目安テープ60の長さと貼付する辺の長さＹｎを等しくする、或いは、各インデックスラベル61におけるタイトルの量に合わせて各インデックスラベル61の長さを調整して目安テープ60の長さと貼付する辺の長さＹｎを等しくするといった動作を行なう。
【００５６】
このように、目安テープ60の長さと貼付する辺の長さＹｎを等しくすることにより、目安テープ60を貼付対象70に添えてインデックスラベル61を貼付対象70に貼付する場合に、インデックスラベル61を貼付する位置がより明確となり、貼りやすく、且つ、視認性も高いインデックスラベル61を作成できることとなる。
【００５７】
次に、本実施例の変形例として、上述した実施例における目安テープ60の各インデックスラベル61間に余白を形成する場合の制御動作について、図９に示すフローチャートを用いて述べる。
【００５８】
このインデックスラベル作成モードの場合も、制御手段は、ユーザにインデックスラベル61の長さＲｓを指定させる長さ指定処理を実行し（ステップＳ２０１）、ユーザが入力手段を操作することで長さＲｓが指定されると、ユーザに作成するインデックスラベル61の枚数Ｎを指定させる作成枚数指定処理を実行し（ステップＳ２０３）、ユーザが入力手段を操作することで枚数Ｎが指定されると、タイトル編集処理を実行し（ステップＳ２０５）、ユーザによるタイトル編集が終了すると、印刷を実行するか否かユーザに確認する印刷実行確認処理を実行する（ステップＳ２０７）。
【００５９】
印刷実行確認処理（ステップＳ２０７）において印刷実行が選択された場合、制御手段は、図１０に示すような各インデックスラベル61間の余白（マージン）の長さＺを指定させる画面を表示手段に表示させ、ユーザに余白の長さＺを指定させる余白指定処理（ステップＳ２０８）を実行し、その後、インデックスラベル61を取付ける辺の長さＹｓを指定させる用紙サイズ指定処理を実行する（ステップＳ２０９）。尚、印刷実行確認処理（ステップＳ２０７）において、印刷実行しないが選択された場合には、インデックスラベル作成モードを終了する（ステップＳ２４１）。
【００６０】
そして、用紙サイズ指定処理（ステップＳ２０９）において用紙が指定された後、制御手段は、算出手段を制御してユーザが指定した貼付対象70のインデックスラベル61を取付ける辺の長さＹｓとインデックスラベルの長さＲｓ及び余白の長さＺから貼付可能枚数Ｙｎを算出する貼付可能枚数算出処理を実行し（ステップＳ２１１）、この貼付可能枚数Ｙｎが１以上であるかを判定する印刷可不可判定処理を実行する（ステップＳ２１３）。
【００６１】
この印刷可不可判定処理（ステップＳ２１３）において、貼付可能枚数Ｙｎが１未満である場合、制御手段は、表示手段にエラーメッセージを表示するエラーメッセージ表示処理を実行し（ステップＳ２１９）、インデックスラベル作成モードを終了する（ステップＳ２４１）。
【００６２】
印刷可不可判定処理（ステップＳ２１３）において、貼付可能枚数Ｙｎが１以上の場合、制御手段は、ｎ（枚目）＝１をセットし（ステップＳ２１５）、印刷手段を制御してｎ枚目の印刷をさせる印刷実行処理を実行する（ステップＳ２１７）。そして、ｎ枚目の印刷が終了すると、作成する総枚数であるＮ枚印刷したか判定する印刷完了判定処理を実行し（ステップＳ２２１）、ｎ＝ＮつまりＮ枚の印刷が完了した場合にはフルカット手段を制御して印刷テープ31を幅方向に完全に切り落とすフルカット処理を実行し（ステップＳ２２３）、インデックスラベル作成モードを終了する（ステップＳ２４１）。
【００６３】
又、印刷完了判定処理（ステップＳ２２１）においてＮ枚の印刷が完了していない場合、制御手段は、ｎ（枚目）が貼付可能枚数Ｙｎの整数倍であるか否かを判定する列完成確認処理を実行し（ステップＳ２２５）、ｎがＹｎの整数倍でない場合にはハーフカット手段を制御してハーフカットさせるハーフカット処理を実行し（ステップＳ２２７）、搬送手段を制御して余白部分を送り出す余白搬送処理（ステップＳ２２９）を実行し、更に、余白部分の最後にハーフカット手段を制御してハーフカットさせるハーフカット処理を実行し（ステップＳ２３１）、ｎに１を加え（ステップＳ２３３）、再びｎ枚目（ｎ＋１）の印刷実行処理を実行する（ステップＳ２１７）。
【００６４】
更に、列完成確認処理（ステップＳ２２５）においてｎがＹｎの整数倍であった場合、フルカット手段を制御してフルカット処理を実行し（ステップＳ２３５）、ｎに１を加える処理を実行する（ステップＳ２３３）。
【００６５】
以上の制御フローに従って、ユーザが一月度売上から十二月度売上までの計１２枚のインデックスラベル61を作成する場合、図１１に示すように、まずインデックスラベル61の長さＲｓとして貼付対象70の貼付する辺の長さＹｓに６枚のインデックスラベル61が入るように指定し、総枚数Ｎとして１２枚を指定し、「一月度売上」から「十二月度売上」までをタイトルとして入力する。
【００６６】
そして、印刷実行確認処理（ステップＳ２０７）において印刷実行を選択し、用紙サイズとして定型用紙或いは任意のＹｓを入力すると共に、余白67の長さＺを入力し、Ｙｓ及びＺが入力されると、貼付可能枚数Ｙｎとして６枚が算出され印刷が開始する。
【００６７】
インデックスラベル61の印刷においては、一月度売上から六月度売上までのインデックスラベル61が間に長さＺの余白67を有した状態で連続して印刷され、六月度売上のインデックスラベル61の後でフルカットされて１列目の目安テープ60が作成される。その後、２列目の目安テープ60として七月度売上から十二月度売上までのインデックスラベル61が印刷され、十二月度売上のインデックスラベル61が印刷された後フルカットされる。
【００６８】
このように本変形例に係る撮像装置1によれば、各インデックスラベル61間に余白67を形成することにより、貼付対象70にインデックスラベル61を貼付した場合、各インデックスラベル61が重なり合うことが無くなるため、貼付しやすく、且つ、見栄えも良い、実用的なインデックスラベル61を作成することができる。
【００６９】
尚、上述した実施例と同様に、インデックスラベル61の長さＲｓ及び貼付可能枚数Ｙｎを自動的に算出させる構成とすることもできる。又、長さ調整手段を備える構成とすることもできる。この場合、長さ調整手段は、Ｙｓ−Ｒｓ×Ｙｎによって算出される貼付する辺の長さと目安テープ60の長さの差を各インデックスラベル61間の余白67として均等に振り分けることにより、目安テープ60の長さＲｓ×Ｙｎと貼付する辺の長さＹｓを等しくする動作を行なう。このように目安テープ60の長さＲｓ×Ｙｎと貼付する辺の長さＹｓを等しくすることにより、目安テープ60と貼付対象70の位置合せ、ひいてはインデックスラベル61の貼付位置をより正確にすることができる。
【００７０】
又、本発明は、以上の実施例に限定されるものでなく、発明の要旨を逸脱しない範囲で自由に変更、改良が可能である。
【図面の簡単な説明】
【００７１】
【図１】本発明の実施例に係るテープ印刷装置の斜視図。
【図２】本発明の実施例に係るテープ印刷装置の内部拡大図及びテープカセットの斜視図。
【図３】本発明の実施例に係るテープ印刷装置の機能ブロック図。
【図４】本発明の実施例に係るテープ印刷装置でインデックスラベルを作成する場合におけるフローチャート。
【図５】本発明の実施例に係るテープ印刷装置で作成したインデックスラベルの正面図。
【図６】本発明の実施例に係るテープ印刷装置でインデックスラベルを作成する場合におけるインデックスラベルの長さを指定させる画面。
【図７】本発明の実施例に係るテープ印刷装置でインデックスラベルを作成する場合における用紙サイズを指定させる画面。
【図８】本発明の実施例に係るテープ印刷装置でインデックスラベルを作成する場合において印刷層の長手方向に予めハーフカットが入った印刷テープを使用した場合のインデックスラベルの正面図。
【図９】本発明の変形例に係るテープ印刷装置でインデックスラベルを作成する場合におけるフローチャート。
【図１０】本発明の実施例に係るテープ印刷装置でインデックスラベルを作成する場合における余白の長さを指定させる画面。
【図１１】本発明の変形例に係るテープ印刷装置で作成したインデックスラベルの正面図。
【符号の説明】
【００７２】
1  テープ印刷装置                        2  筐体
3  入力部                                4  表示部
5  開閉蓋                                7  テープ繰出部
8  カセット装填部                        11  サーマルヘッド
12  プラテンローラ                       13  リボン巻取軸
15  カセット受部                         16  可動突起
17  フルカット装置
18  ハーフカット装置                     17a,18a  固定刃
17b,18b  可動刃                          21  テープカセット
22  カセットケース                       23  テープコア
24  リボン供給コア                       25  リボン巻取コア
27  ヘッド配置部                         29  被係合部
31  印刷テープ                           35  インクリボン
40  制御部                               41  ＣＰＵ
42  ＲＯＭ                               43  ＲＡＭ
44  入出力インターフェース               45  テープ印刷機構
46,48  ステッピングモータ                49  位置センサ
50  ＤＣモータ                           60  目安テープ
61  インデックスラベル                   62  ハーフカット
64  印刷領域                             65  タック領域
67  余白                                 70  貼付対象
【図１】
2010064274.tif 000003
【図２】
2010064274.tif 000004
【図３】
2010064274.tif 000005
【図４】
2010064274.tif 000006
【図５】
2010064274.tif 000007
【図６】
2010064274.tif 000008
【図７】
2010064274.tif 000009
【図８】
2010064274.tif 000010
【図９】
2010064274.tif 000011
【図１０】
2010064274.tif 000012
【図１１】
2010064274.tif 000013